(57)【要約】      （修正有）【課題】取り付け・剥離作業が極めて容易であると共に、取り付けた状態においても保護テープであることが気付かれにくく、体裁を損ねることなく汚損防止機能を発揮し得る実用性に優れた衿袖汚損防止具を提供する。【解決手段】帯幅方向両端縁に沿って夫々装飾部１を延設した帯状レース地２から成り、帯幅方向中央部に装飾部を残して帯状の両面テープ３を貼着すると共に、襦袢の衿口の所定範囲に付設する長さ又は襦袢の袖口を一周する長さに設定し、両面テープを衿口又は袖口の裏面端縁に沿って貼着した際に、帯幅方向いずれか一方側の装飾部の全部が端縁に沿って突出露呈するように構成した。【選択図】図１
0003200581.tif 000002
【実用新案登録請求の範囲】
【請求項１】
襦袢の衿口又は袖口の汚れ付着や擦れによる生地の破損を防止するために、前記衿口又は前記袖口に着脱自在に付設する衿袖汚損防止具であって、帯幅方向両端縁に沿って夫々装飾部を延設した帯状レース地から成り、この帯状レース地の帯幅方向中央部に前記装飾部を残して帯状の両面テープを貼着した構成とすると共に、前記衿口の所定範囲に付設する長さ又は前記袖口を一周する長さに設定した構成とし、前記帯状レース地に貼着した前記両面テープを前記衿口又は前記袖口の裏面に該衿口又は該袖口の端縁に沿って貼着した際に、前記帯状レース地の帯幅方向いずれか一方側の前記装飾部の全部が前記端縁に沿って突出露呈するように構成したことを特徴とする衿袖汚損防止具。
【請求項２】
襦袢の衿口又は袖口の汚れ付着や擦れによる生地の破損を防止するために、前記衿口又は前記袖口に着脱自在に付設する衿袖汚損防止具であって、帯幅方向両端縁に沿って夫々装飾部を延設した帯状レース地と、この帯状レース地の帯幅よりも幅細で該帯状レース地の帯幅方向中央部に貼着する帯状の両面テープとから成る構成とすると共に、前記衿口の所定範囲に付設する長さ又は前記袖口を一周する長さに設定した構成とし、前記両面テープを前記帯状レース地の帯幅方向中央部に前記装飾部を残して貼着し、この帯状レース地に貼着した前記両面テープを前記衿口又は前記袖口の裏面に該衿口又は該袖口の端縁に沿って貼着した際に、前記帯状レース地の帯幅方向いずれか一方側の前記装飾部の全部が前記端縁に沿って突出露呈するように構成したことを特徴とする衿袖汚損防止具。
【考案の詳細な説明】
【技術分野】
【０００１】
本考案は、襦袢の衿口や袖口の汚れ付着や擦れによる生地の破損を防止するための衿袖汚損防止具に関するものである。
【背景技術】
【０００２】
着物を着用する際、一般的には、着物の下に襦袢を着用する。この襦袢は、一般的に下着として着用するため、直接肌に触れるものであり、そのため、汗じみなどの汚れが付き易く、洗濯を行う機会が多いが、襦袢は、着物同様、家庭にある一般的な洗濯機で洗濯すると、縮みや皺が発生するため、家庭で容易に洗濯することは出来ず、通常、クリーニング専門店に洗濯（ドライクリーニング）を依頼している。
【０００３】
しかしながら、汗じみはドライクリーニングでは落としきれない場合があり、そのような場合には別途しみ抜き作業が必要となるため、クリーニング費用が嵩んでしまう。
【０００４】
このような襦袢において、衿口や袖口は着物から露出する部位であるため、特に汚れが目につき易い部位となっている。したがって、この汚れが目立つ衿口や袖口の汚れ付着を防止することで、クリーニングに出す回数やしみ抜き作業を削減でき、クリーニングに掛かる費用を削減することができる。
【０００５】
従来、このような背景のもと、例えば特許文献１のような汚れの付着を防止するための保護テープが提案されている。この保護テープは、帯状に形成した布の衣類との接触面に熱溶融性を有する接着剤層を設けた構成としたものであり、接着剤層形成面を衣類の汚れそうな箇所に押し当て、アイロンなどで加熱して衣類に着設し、衣類の汚れを保護するものである。具体的には、例えば、袖口に取り付ける場合は、袖口の内側面に周設するように取り付け、また、着物や襦袢の衿に取り付ける場合は、半衿のように、幅方向に半分に折曲し、衿縁を覆うようにして衿の表側と裏側とに跨るように取り付ける構成とし、汚れたら、再加熱して接着剤を溶融することで剥離することができ、新しい保護テープに貼りかえることができるように構成したものである。
【先行技術文献】
【特許文献】
【０００６】
【特許文献１】実開平３−１１０１４号公報
【考案の概要】
【考案が解決しようとする課題】
【０００７】
しかしながら、上述した保護テープは、取り付け時及び剥離時ともに加熱処理が必要で、取り付け作業及び剥離作業に手間が掛かり容易に取り付けることができず、更に着物や襦袢の衿口や袖口に取り付けた場合、あからさまに保護テープであることが分かり、見栄えが悪くなり体裁を損ねてしまっていた。
【０００８】
本考案は、上述したような現状に鑑みなされたもので、取り付け・剥離作業が極めて容易であると共に、取り付けた状態においても保護テープであることが気付かれにくく、体裁を損ねることなく汚損防止機能を発揮し得る実用性に優れた画期的な衿袖汚損防止具を提供することを目的とする。
【課題を解決するための手段】
【０００９】
添付図面を参照して本考案の要旨を説明する。
【００１０】
襦袢の衿口又は袖口の汚れ付着や擦れによる生地の破損を防止するために、前記衿口又は前記袖口に着脱自在に付設する衿袖汚損防止具であって、帯幅方向両端縁に沿って夫々装飾部１を延設した帯状レース地２から成り、この帯状レース地２の帯幅方向中央部に前記装飾部１を残して帯状の両面テープ３を貼着した構成とすると共に、前記衿口の所定範囲に付設する長さ又は前記袖口を一周する長さに設定した構成とし、前記帯状レース地２に貼着した前記両面テープ３を前記衿口又は前記袖口の裏面に該衿口又は該袖口の端縁に沿って貼着した際に、前記帯状レース地２の帯幅方向いずれか一方側の前記装飾部１の全部が前記端縁に沿って突出露呈するように構成したことを特徴とする衿袖汚損防止具に係るものである。
【００１１】
また、襦袢の衿口又は袖口の汚れ付着や擦れによる生地の破損を防止するために、前記衿口又は前記袖口に着脱自在に付設する衿袖汚損防止具であって、帯幅方向両端縁に沿って夫々装飾部１を延設した帯状レース地２と、この帯状レース地２の帯幅よりも幅細で該帯状レース地２の帯幅方向中央部に貼着する帯状の両面テープ３とから成る構成とすると共に、前記衿口の所定範囲に付設する長さ又は前記袖口を一周する長さに設定した構成とし、前記両面テープ３を前記帯状レース地２の帯幅方向中央部に前記装飾部１を残して貼着し、この帯状レース地２に貼着した前記両面テープ３を前記衿口又は前記袖口の裏面に該衿口又は該袖口の端縁に沿って貼着した際に、前記帯状レース地２の帯幅方向いずれか一方側の前記装飾部１の全部が前記端縁に沿って突出露呈するように構成したことを特徴とする衿袖汚損防止具に係るものである。
【考案の効果】
【００１２】
本考案は上述のように構成したから、襦袢の衿口や袖口に簡単に取り付けることができ、汚れの付着や擦れによる生地の劣化や破損を防止することができ、また、汚れたら、簡単に交換することができるので、常に衿口又は袖口の清潔感を保つことができる。
【００１３】
しかも、衿口や袖口に貼着した際に、衿口の開口縁や袖口の開口縁から突出露呈する装飾部により装飾性が付与され見栄えが良くなる。即ち、本考案は、衿袖汚損防止具を取り付けていることを気付かれないばかりか、この衿袖汚損防止具の装飾部が衿口や袖口を装飾し一層見栄えを良くし、着用時の体裁を一層良好なものとする。
【００１４】
更に、本考案を襦袢の袖口に取り付けた場合、袖口から突出する装飾部によって袖口の開口縁の擦れが防止でき、よって、この袖口の開口縁の擦れによる劣化や破損も防止することができる。
【００１５】
このように、本考案は、優れた汚損防止の機能性と装飾性の双方を兼ね備えた実用性に優れた画期的な衿袖汚損防止具となる。
【図面の簡単な説明】
【００１６】
【図１】本実施例を示す説明斜視図である。
【図２】図１の断面図である。
【図３】本実施例を襦袢の衿口又は袖口に取り付けた状態を示す説明斜視図である。
【図４】図３の断面図である。
【図５】本実施例を付け替える際の付け替え手順（剥離）を示す説明図である。
【図６】本実施例を付け替える際の付け替え手順（入替後）を示す説明図である。
【図７】本実施例を襦袢の衿口と袖口に取り付けた状態を示す説明図である。
【考案を実施するための形態】
【００１７】
好適と考える本考案の実施形態を、図面に基づいて本考案の作用を示して簡単に説明する。
【００１８】
帯状レース地２に貼着した両面テープ３の離型紙４を剥離し、この両面テープ３の幅方向一側縁を衿口又は袖口の端縁に沿わせるようにしてこの両面テープ３を衿口又は袖口の裏面に貼着すると、帯状レース地２が汚れ易い襦袢の衿口又は袖口の裏面に取り付けられ、この衿口又は袖口への汚れ付着を防止することができる。
【００１９】
即ち、汚れは、洗濯が容易でない襦袢の衿口又は袖口に付着せず、帯状レース地２に付着することとなり、衿口又は袖口は直接汚れず、汚れが付着した帯状レース地２を衿口又は袖口から剥がし取り、新品の帯状レース地２と交換する、若しくは帯状レース地２の取り付け向きを変えて汚れが付着していないもう一方側と位置を入れ替え再度取り付けることで、襦袢を洗濯することなく常に衿口や袖口をきれいな状態に保持することができる。
【００２０】
また、本考案は、両面テープ３の幅方向一側縁を衿口又は袖口の端縁に沿わせるようにしてこの両面テープ３を衿口又は袖口の裏面に貼着することで、帯状レース地２の帯幅方向両端縁に沿って夫々設けた装飾部１の一方側の装飾部１の全部が前記端縁に沿って突出露呈するようにして帯状レース地２が衿口又は袖口に取り付けられるから、この突出露呈した装飾部１があたかも予め襦袢の衿口又は袖口に付設された装飾の如く、この衿口又は袖口の見栄えを良好にし、着用時の体裁を一層良好なものとする。
【００２１】
しかも、装飾部１以外もレース地からなるので、袖口内（袖口の裏面）が見えても、レース地で装飾されているかのように見え、体裁を損ねることが無い。
【００２２】
更に、袖口に取り付けた場合は、この突出する装飾部１が人の腕（手首付近）の袖口の開口縁への直接的な接触を防止し、汚れの付着防止だけでなく、袖口と腕（手首）との擦れによる劣化、破損を防止し、襦袢の体裁を保持し長く着用することができる（長持ちする。）。
【実施例】
【００２３】
本考案の具体的な実施例について図面に基づいて説明する。
【００２４】
本実施例は、襦袢の衿口又は袖口の汚れ付着や擦れによる生地の破損を防止するために、前記衿口又は前記袖口に着脱自在に付設する衿袖汚損防止具であって、帯幅方向両端縁に沿って夫々装飾部１を延設した帯状レース地２から成り、この帯状レース地２の帯幅方向中央部に前記装飾部１を残して帯状の両面テープ３を貼着した構成とすると共に、前記衿口の所定範囲に付設する長さ又は前記袖口を一周する長さに設定した構成とし、前記帯状レース地２に貼着した前記両面テープ３を前記衿口又は前記袖口の裏面に該衿口又は該袖口の端縁に沿って貼着した際に、前記帯状レース地２の帯幅方向いずれか一方側の前記装飾部１の全部が前記端縁に沿って突出露呈するように構成したものである。
【００２５】
具体的には、装飾部１は、帯状レース地２と同様、レース地からなる構成とし、端縁を凸湾曲面が連設した所謂波状に形成した構成としている。
【００２６】
より具体的には、本実施例は、装飾部１と帯状レース地２とを一体のレース地で形成し、更に、装飾部１は帯状レース地２の帯幅方向両端縁に沿って夫々対称的な装飾模様を呈するように形成した構成としている。
【００２７】
また、本実施例は、装飾部１と帯状レース地２とを合わせた帯幅を約２０ｍｍに設定し、帯状レース地２に貼着する両面テープ３の幅を約１５ｍｍに設定した構成としている。即ち、帯幅方向両端縁に約２．５ｍｍ幅ずつ装飾部１を形成した構成としている。
【００２８】
また、本実施例は、長さを約２ｍに設定している。これは、一般的な袖口の開口部周囲寸法が約５０ｃｍであることから、両方の袖口に取り付けることで１回あたり１ｍ使用し、これを２回使用できる長さに設定している。尚、本実施例では、上述したように連続した長い帯状のものを使用者が所定の長さに切断して使用する構成としているが、予め、衿口用、袖口用に長さを調整して切断した構成としても良い。
【００２９】
また、本実施例は、両面テープ３を、予め帯状レース地２に貼着した構成としたが、使用時に使用者が帯状レース地２の所定位置または、襦袢の衿口や袖口の裏面の所定位置に貼着するようにしても良い。
【００３０】
上述のように構成した本実施例の作用・効果について以下に説明する。
【００３１】
本実施例の衿袖汚損防止具を襦袢の衿口や袖口に取り付ける際は、衿口の取り付け箇所に合わせた長さ、或いは袖口の周囲寸法に合わせた長さに切断し、帯状レース地２に貼着されている両面テープ３の離型紙４を剥がし、両面テープ３の幅方向一側縁を衿口又は袖口の端縁に沿わせるようにしてこの両面テープ３を衿口又は袖口の裏面に貼着するだけである。
【００３２】
このように両面テープ３の幅方向一側縁を衿口又は袖口の端縁に沿わせるようにして貼着することで、汚れ易い衿口や袖口が帯状レース地２で覆われ（保護され）、汚れが直接付着せず、汚れた本実施例の衿袖汚損防止具を交換するだけで、洗濯をしなくてもきれいな状態を保つことができる。
【００３３】
したがって、着物から露出し目につき易い衿口や袖口への汗じみなどの汚れ付着を防止することができ、クリーニングに出す回数を削減できると共に、ドライクリーニングでは落としきれない汗じみを落とすためのしみ抜き作業が不要となり、クリーニングに掛かる費用を削減することができる。
【００３４】
また、本実施例は、上述のように両面テープ３の幅方向一側縁を衿口又は袖口の端縁に沿わせるようにしてこの両面テープ３を衿口又は袖口の裏面に貼着すると、装飾部１が衿口や袖口からちょうど突出露呈し、この突出露呈した装飾部１が衿口や袖口を装飾して着用時の体裁を良好なものとする。
【００３５】
しかも、袖口においては、この突出露呈した装飾部１により袖口端縁（開口縁）への人の腕（手首付近）の接触が防止され、汚れの付着防止だけでなく、袖口と腕（手首）との擦れによる劣化、破損が防止され、より長持ちする（襦袢の延命化が図れる）。
【００３６】
また、本実施例は、帯状レース地２の帯幅方向両側に対称的に装飾部１を設けたから、装飾部１や帯状レース地２が汚れたら、両面テープ３から帯状レース地２を剥がし、左右反転又は表裏反転させて、汚れていないもう一方の装飾部１を突出露呈するように付け替えることで、１枚で２回使用することもできる。
【００３７】
このように、本実施例の衿袖汚損防止具は、着脱が容易であり、しかも、優れた汚損防止の機能を有すると共に、装飾性をも兼ね備え、更には経済的効果も発揮する実用性に優れた衿袖汚損防止具となる。
【００３８】
尚、本考案は、本実施例に限られるものではなく、各構成要件の具体的構成は適宜設計し得るものである。
【符号の説明】
【００３９】
１  装飾部
２  帯状レース地
３  両面テープ
【図１】
0003200581.tif 000003
【図２】
0003200581.tif 000004
【図３】
0003200581.tif 000005
【図４】
0003200581.tif 000006
【図５】
0003200581.tif 000007
【図６】
0003200581.tif 000008
【図７】
0003200581.tif 000009